(57)【要約】  本開示は、ダウンリンク制御チャネル検出受信方法、端末およびネットワーク側機器を提供する。当該方法は、端末が、ネットワーク側機器から指示されるダウンリンク制御チャネル検出受信用の第１検出時間パラメータを特定することと、端末が、第１検出時間パラメータにしたがって、対応するダウンリンク制御チャネル時間領域リソースを選択してダウンリンク制御チャネル検出受信を行うこととを含む。【選択図】  図２
2020518197.tif 000002
【特許請求の範囲】
【請求項１】
端末が、ネットワーク側機器から指示されるダウンリンク制御チャネル検出受信用の第１検出時間パラメータを特定することと、
前記端末が、前記第１検出時間パラメータにしたがって、対応するダウンリンク制御チャネル時間領域リソースを選択してダウンリンク制御チャネル検出受信を行うことと、
を含むダウンリンク制御チャネル検出受信方法。
【請求項２】
前記第１検出時間パラメータは、
ダウンリンク制御チャネルの検出受信頻度を指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される検出受信頻度にしたがって、対応するダウンリンク制御チャネル時間領域リソースでダウンリンク制御チャネル検出受信を行うことを含む請求項１に記載の方法。
【請求項３】
前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項２に記載の方法。
【請求項４】
前記第１検出時間パラメータは、
ダウンリンク制御チャネル検出受信が行われる目標時間領域リソースを、ビットマップ方式で前記端末に指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される目標時間領域リソースを選択し、前記目標時間領域リソースでダウンリンク制御チャネル検出受信を行うことを含む請求項１に記載の方法。
【請求項５】
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、
前記端末が、前記第１検出時間パラメータにしたがって、対応するダウンリンク制御チャネル時間領域リソースを選択してダウンリンク制御チャネル検出受信を行うことは、
前記端末が、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行うことを含み、
ここで、各ダウンリンク制御チャネル時間領域リソースセットは、ダウンリンク制御チャネル検出受信に用いられる可能性のある時間領域リソースを少なくとも１つ含む請求項１に記載の方法。
【請求項６】
前記第１検出時間パラメータは、
前記ネットワーク側機器から明示的に指示される検出時間パラメータであり、または、
前記端末と前記ネットワーク側機器の間で予め協議して特定される検出時間パラメータである請求項５に記載の方法。
【請求項７】
前記端末が、ネットワーク側機器から指示されるダウンリンク制御チャネル検出受信用の第１検出時間パラメータを特定することは、
前記端末が、ネットワーク側機器から送信されるダウンリンク制御チャネル検出受信用の第１検出時間パラメータを受信すること、または、
前記端末が、ネットワーク側機器との間で予め協議したダウンリンク制御チャネル検出受信用の第１検出時間パラメータを特定することを含む請求項１〜６のいずれか一項に記載の方法。
【請求項８】
前記端末が、ネットワーク側機器から送信されるダウンリンク制御チャネル検出受信用の第１検出時間パラメータを受信することは、
前記端末が、ダウンリンク制御チャネル検出受信用の第１検出時間パラメータが含まれるハイレイヤシグナリングをネットワーク側機器から受信すること、または、
前記端末が、ダウンリンク制御チャネル検出受信用の第１検出時間パラメータが含まれるブロードキャストシグナリングまたはマルチキャストシグナリングをネットワーク側機器から受信することを含む請求項７に記載の方法。
【請求項９】
前記第１検出時間パラメータは、所定時間帯内で有効であり、および／または、
前記ブロードキャストシグナリングに含まれる第１検出時間パラメータは、前記ネットワーク側機器の配下のすべての端末に有効であり、
前記マルチキャストシグナリングに含まれる第１検出時間パラメータは、１つまたは複数の端末を含む端末群に有効である請求項８に記載の方法。
【請求項１０】
前記端末が、前記ネットワーク側機器から送信される検出時間パラメータ調整メッセージを受信することと、
前記端末が、ダウンリンク制御チャネル時間領域リソースで、検出時間パラメータ調整メッセージに対応する検出時間パラメータにしたがって、対応する時間領域リソースを選択してダウンリンク制御チャネル検出受信を行うこととをさらに含む請求項１〜６のいずれか一項に記載の方法。
【請求項１１】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示する請求項１０に記載の方法。
【請求項１２】
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項１１に記載の方法。
【請求項１３】
前記検出時間パラメータ調整メッセージは、
ブロードキャストシグナリング、マルチキャストシグナリングまたはスケジューリングダウンリンク制御情報を含む請求項１０に記載の方法。
【請求項１４】
ネットワーク側機器が、ダウンリンク制御チャネル検出受信用の第１検出時間パラメータを端末に指示することを含み、
前記第１検出時間パラメータは、前記端末に、前記第１検出時間パラメータにしたがって、対応するダウンリンク制御チャネル時間領域リソースを選択してダウンリンク制御チャネル検出受信を行わせるダウンリンク制御チャネル検出受信方法。
【請求項１５】
前記第１検出時間パラメータは、
ダウンリンク制御チャネルの検出受信頻度を指示する請求項１４に記載の方法。
【請求項１６】
前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項１５に記載の方法。
【請求項１７】
前記第１検出時間パラメータは、
ダウンリンク制御チャネル検出受信が行われる目標時間領域リソースを、ビットマップ方式で前記端末に指示する請求項１４に記載の方法。
【請求項１８】
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含む請求項１４に記載の方法。
【請求項１９】
前記第１検出時間パラメータは、
前記ネットワーク側機器から明示的に指示される検出時間パラメータであり、または、
前記端末と前記ネットワーク側機器の間で予め協議して特定される検出時間パラメータである請求項１８に記載の方法。
【請求項２０】
前記ネットワーク側機器が、ダウンリンク制御チャネル検出受信用の第１検出時間パラメータを端末に指示することは、
前記ネットワーク側機器が、ダウンリンク制御チャネル検出受信用の第１検出時間パラメータを前記端末に送信すること、または、
前記ネットワーク側機器が、ダウンリンク制御チャネル検出受信用の第１検出時間パラメータを前記端末に暗黙的に指示することを含む請求項１４〜１９のいずれか一項に記載の方法。
【請求項２１】
前記ネットワーク側機器が、ダウンリンク制御チャネル検出受信用の第１検出時間パラメータを前記端末に送信することは、
前記ネットワーク側機器が、ダウンリンク制御チャネル検出受信用の第１検出時間パラメータが含まれるハイレイヤシグナリングを前記端末に送信すること、または、
前記ネットワーク側機器が、ダウンリンク制御チャネル検出受信用の第１検出時間パラメータが含まれるブロードキャストシグナリングまたはマルチキャストシグナリングを前記端末に送信することを含む請求項２０に記載の方法。
【請求項２２】
前記第１検出時間パラメータは、所定時間帯内で有効であり、および／または、
前記ブロードキャストシグナリングに含まれる第１検出時間パラメータは、前記ネットワーク側機器の配下のすべての端末に有効であり、
前記マルチキャストシグナリングに含まれる第１検出時間パラメータは、１つまたは複数の端末を含む端末群に有効である請求項２１に記載の方法。
【請求項２３】
前記ネットワーク側機器が、検出時間パラメータ調整メッセージを前記端末に送信することをさらに含み、
前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる請求項１４〜１９のいずれか一項に記載の方法。
【請求項２４】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示する請求項２３に記載の方法。
【請求項２５】
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項２４に記載の方法。
【請求項２６】
前記検出時間パラメータ調整メッセージは、
ブロードキャストシグナリング、マルチキャストシグナリングまたはスケジューリングダウンリンク制御情報を含む請求項２３に記載の方法。
【請求項２７】
ネットワーク側機器から指示されるダウンリンク制御チャネル検出受信用の第１検出時間パラメータを特定する特定モジュールと、
前記第１検出時間パラメータにしたがって、対応するダウンリンク制御チャネル時間領域リソースを選択してダウンリンク制御チャネル検出受信を行う第１検出モジュールとを含む端末。
【請求項２８】
前記第１検出時間パラメータは、
ダウンリンク制御チャネルの検出受信頻度を指示し、
前記第１検出モジュールは、
前記第１検出時間パラメータで指示される検出受信頻度にしたがって、対応するダウンリンク制御チャネル時間領域リソースでダウンリンク制御チャネル検出受信を行う請求項２７に記載の端末。
【請求項２９】
前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項２８に記載の端末。
【請求項３０】
前記第１検出時間パラメータは、
ダウンリンク制御チャネル検出受信が行われる目標時間領域リソースを、ビットマップ方式で前記端末に指示し、
前記第１検出モジュールは、
前記第１検出時間パラメータで指示される目標時間領域リソースを選択し、前記目標時間領域リソースでダウンリンク制御チャネル検出受信を行う請求項２７に記載の端末。
【請求項３１】
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、
前記第１検出モジュールは、
予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行い、
ここで、各ダウンリンク制御チャネル時間領域リソースセットは、ダウンリンク制御チャネル検出受信に用いられる可能性のある時間領域リソースを少なくとも１つ含む請求項２７に記載の端末。
【請求項３２】
前記第１検出時間パラメータは、
前記ネットワーク側機器から明示的に指示される検出時間パラメータであり、または、
前記端末と前記ネットワーク側機器の間で予め協議して特定される検出時間パラメータである請求項３１に記載の端末。
【請求項３３】
前記特定モジュールは、
ネットワーク側機器から送信されるダウンリンク制御チャネル検出受信用の第１検出時間パラメータを受信し、または、
ネットワーク側機器との間で予め協議したダウンリンク制御チャネル検出受信用の第１検出時間パラメータを特定する請求項２７〜３２のいずれか一項に記載の端末。
【請求項３４】
前記特定モジュールは、
ダウンリンク制御チャネル検出受信用の第１検出時間パラメータが含まれるハイレイヤシグナリングをネットワーク側機器から受信し、または、
ダウンリンク制御チャネル検出受信用の第１検出時間パラメータが含まれるブロードキャストシグナリングまたはマルチキャストシグナリングをネットワーク側機器から受信する請求項３３に記載の端末。
【請求項３５】
前記第１検出時間パラメータは、所定時間帯内で有効であり、および／または、
前記ブロードキャストシグナリングに含まれる第１検出時間パラメータは、前記ネットワーク側機器の配下のすべての端末に有効であり、
前記マルチキャストシグナリングに含まれる第１検出時間パラメータは、１つまたは複数の端末を含む端末群に有効である請求項３４に記載の端末。
【請求項３６】
前記ネットワーク側機器から送信される検出時間パラメータ調整メッセージを受信する受信モジュールと、
ダウンリンク制御チャネル時間領域リソースで、検出時間パラメータ調整メッセージに対応する検出時間パラメータにしたがって、対応する時間領域リソースを選択してダウンリンク制御チャネル検出受信を行う第２検出モジュールとをさらに含む請求項２７〜３２のいずれか一項に記載の端末。
【請求項３７】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示する請求項３６に記載の端末。
【請求項３８】
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項３７に記載の端末。
【請求項３９】
前記検出時間パラメータ調整メッセージは、
ブロードキャストシグナリング、マルチキャストシグナリングまたはスケジューリングダウンリンク制御情報を含む請求項３６に記載の端末。
【請求項４０】
ダウンリンク制御チャネル検出受信用の第１検出時間パラメータを端末に指示する指示モジュールを含み、
前記第１検出時間パラメータは、前記端末に、前記第１検出時間パラメータにしたがって、対応するダウンリンク制御チャネル時間領域リソースを選択してダウンリンク制御チャネル検出受信を行わせるネットワーク側機器。
【請求項４１】
前記第１検出時間パラメータは、
ダウンリンク制御チャネルの検出受信頻度を指示する請求項４０に記載のネットワーク側機器。
【請求項４２】
前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項４１に記載のネットワーク側機器。
【請求項４３】
前記第１検出時間パラメータは、
ダウンリンク制御チャネル検出受信が行われる目標時間領域リソースを、ビットマップ方式で前記端末に指示する請求項４０に記載のネットワーク側機器。
【請求項４４】
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含む請求項４０に記載のネットワーク側機器。
【請求項４５】
前記第１検出時間パラメータは、
前記ネットワーク側機器から明示的に指示される検出時間パラメータであり、または、
前記端末と前記ネットワーク側機器の間で予め協議して特定される検出時間パラメータである請求項４４に記載のネットワーク側機器。
【請求項４６】
前記指示モジュールは、
ダウンリンク制御チャネル検出受信用の第１検出時間パラメータを前記端末に送信し、または、
ダウンリンク制御チャネル検出受信用の第１検出時間パラメータを前記端末に暗黙的に指示する請求項４０〜４５のいずれか一項に記載のネットワーク側機器。
【請求項４７】
前記指示モジュールは、
ダウンリンク制御チャネル検出受信用の第１検出時間パラメータが含まれるハイレイヤシグナリングを前記端末に送信し、または、
ダウンリンク制御チャネル検出受信用の第１検出時間パラメータが含まれるブロードキャストシグナリングまたはマルチキャストシグナリングを前記端末に送信する請求項４６に記載のネットワーク側機器。
【請求項４８】
前記第１検出時間パラメータは、所定時間帯内で有効であり、および／または、
前記ブロードキャストシグナリングに含まれる第１検出時間パラメータは、前記ネットワーク側機器の配下のすべての端末に有効であり、
前記マルチキャストシグナリングに含まれる第１検出時間パラメータは、１つまたは複数の端末を含む端末群に有効である請求項４７に記載のネットワーク側機器。
【請求項４９】
検出時間パラメータ調整メッセージを前記端末に送信する調整モジュールをさらに含み、
前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる請求項４０〜４５のいずれか一項に記載のネットワーク側機器。
【請求項５０】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示する請求項４９に記載のネットワーク側機器。
【請求項５１】
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項５０に記載のネットワーク側機器。
【請求項５２】
前記検出時間パラメータ調整メッセージは、
ブロードキャストシグナリング、マルチキャストシグナリングまたはスケジューリングダウンリンク制御情報を含む請求項４９に記載のネットワーク側機器。
【請求項５３】
プロセッサとメモリを含む端末において、
前記メモリは、前記プロセッサによって実行されるプログラムとデータを記憶し、
前記プロセッサは、前記メモリからプログラムを読み取って、請求項１〜１３のいずれか一項に記載の方法を実行する端末。
【請求項５４】
プロセッサとメモリを含むネットワーク側機器において、
前記メモリは、前記プロセッサによって実行されるプログラムとデータを記憶し、
前記プロセッサは、前記メモリからプログラムを読み取って、請求項１４〜２６のいずれか一項に記載の方法を実行するネットワーク側機器。
【請求項５５】
非揮発性のコンピュータ読み取り可能な記憶媒体において、
前記非揮発性のコンピュータ読み取り可能な記憶媒体に記憶されているプログラムと指令を含み、
前記プログラムと指令がプロセッサによって実行されると、
前記プロセッサは、請求項１〜１３のいずれか一項に記載の方法を実行する非揮発性のコンピュータ読み取り可能な記憶媒体。
【請求項５６】
非揮発性のコンピュータ読み取り可能な記憶媒体において、
前記非揮発性のコンピュータ読み取り可能な記憶媒体に記憶されているプログラムと指令を含み、
前記プログラムと指令がプロセッサによって実行されると、
前記プロセッサは、請求項１４〜２６のいずれか一項に記載の方法を実行する非揮発性のコンピュータ読み取り可能な記憶媒体。
【発明の詳細な説明】
【技術分野】
【０００１】
本願は、２０１７年４月２８日に中国特許庁に提出された中国特許出願２０１７１０３０７０５３．１の優先権を主張し、その全ての内容が援用によりここに取り込まれる。
本開示は、通信技術分野に係り、特にダウンリンク制御チャネル検出受信方法、端末およびネットワーク側機器に係る。
【背景技術】
【０００２】
通信技術の発展につれて、端末からサポートされるサービスが多様化し、かつサービスのタイプも多様化する。また、端末に対し、より高いピークレート、より優れるユーザ体験レート、より小さい遅延、より高い信頼性、より高いスペクトル効率、より高いエネルギー効率など、より高い性能がサービスから求められる。より多くのサービスのリクエストを満たすために、端末に対する電気消費要求が必然的に高くなる。ダウンリンク制御チャネルの検出受信は、端末でよく利用されるサービスシーンの１つであり、かつ端末によって継続的に行われるため、端末の電気消費が比較的高い。
【発明の概要】
【発明が解決しようとする課題】
【０００３】
本開示の目的は、端末の電気消費が比較的高いという問題を解決するために、ダウンリンク制御チャネル検出受信方法、端末およびネットワーク側機器を提供することにある。
【課題を解決するための手段】
【０００４】
上記目的を達成するために、第１態様において、本開示の一部実施例は、ダウンリンク制御チャネル検出受信方法を提供する。当該方法は、
端末が、ネットワーク側機器から指示されるダウンリンク制御チャネル検出受信用の第１検出時間パラメータを特定することと、
前記端末が、前記第１検出時間パラメータにしたがって、対応するダウンリンク制御チャネル時間領域リソースを選択してダウンリンク制御チャネル検出受信を行うこととを含む。
【０００５】
選択可能に、前記第１検出時間パラメータは、
ダウンリンク制御チャネルの検出受信頻度を指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される検出受信頻度にしたがって、対応するダウンリンク制御チャネル時間領域リソースでダウンリンク制御チャネル検出受信を行うことを含む。
【０００６】
選択可能に、前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する。
【０００７】
選択可能に、前記第１検出時間パラメータは、
ダウンリンク制御チャネル検出受信が行われる目標時間領域リソースを、ビットマップ方式で前記端末に指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される目標時間領域リソースを選択し、前記目標時間領域リソースでダウンリンク制御チャネル検出受信を行うことを含む。
【０００８】
選択可能に、前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、
前記端末が、前記第１検出時間パラメータにしたがって、対応するダウンリンク制御チャネル時間領域リソースを選択してダウンリンク制御チャネル検出受信を行うことは、
前記端末が、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行うことを含み、
ここで、各ダウンリンク制御チャネル時間領域リソースセットは、ダウンリンク制御チャネル検出受信に用いられる可能性のある時間領域リソースを少なくとも１つ含む。
【０００９】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【００１０】
選択可能に、前記端末が、ネットワーク側機器から指示されるダウンリンク制御チャネル検出受信用の第１検出時間パラメータを特定することは、
前記端末が、ネットワーク側機器から送信されるダウンリンク制御チャネル検出受信用の第１検出時間パラメータを受信すること、または、
前記端末が、ネットワーク側機器との間で予め協議したダウンリンク制御チャネル検出受信用の第１検出時間パラメータを特定することを含む。
【００１１】
選択可能に、前記端末が、ネットワーク側機器から送信されるダウンリンク制御チャネル検出受信用の第１検出時間パラメータを受信することは、
前記端末が、ダウンリンク制御チャネル検出受信用の第１検出時間パラメータが含まれるハイレイヤシグナリングをネットワーク側機器から受信すること、または、
前記端末が、ダウンリンク制御チャネル検出受信用の第１検出時間パラメータが含まれるブロードキャストシグナリングまたはマルチキャストシグナリングをネットワーク側機器から受信することを含む。
【００１２】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【００１３】
選択可能に、前記方法は、
前記端末が、前記ネットワーク側機器から送信される検出時間パラメータ調整メッセージを受信することと、
前記端末が、ダウンリンク制御チャネル時間領域リソースで、検出時間パラメータ調整メッセージに対応する検出時間パラメータにしたがって、対応する時間領域リソースを選択してダウンリンク制御チャネル検出受信を行うこととをさらに含む。
【００１４】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【００１５】
選択可能に、前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する。
【００１６】
選択可能に、前記検出時間パラメータ調整メッセージは、ブロードキャストシグナリング、マルチキャストシグナリングまたはスケジューリングダウンリンク制御情報を含む。
【００１７】
第２態様において、本開示の一部実施例は、ダウンリンク制御チャネル検出受信方法を提供する。当該方法は、
ネットワーク側機器が、ダウンリンク制御チャネル検出受信用の第１検出時間パラメータを端末に指示することを含み、
前記第１検出時間パラメータは、前記端末に、前記第１検出時間パラメータにしたがって、対応するダウンリンク制御チャネル時間領域リソースを選択してダウンリンク制御チャネル検出受信を行わせる。
【００１８】
選択可能に、前記第１検出時間パラメータは、ダウンリンク制御チャネルの検出受信頻度を指示する。
【００１９】
選択可能に、前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する。
【００２０】
選択可能に、前記第１検出時間パラメータは、ダウンリンク制御チャネル検出受信が行われる目標時間領域リソースを、ビットマップ方式で前記端末に指示する。
【００２１】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【００２２】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【００２３】
選択可能に、前記ネットワーク側機器が、ダウンリンク制御チャネル検出受信用の第１検出時間パラメータを端末に指示することは、
前記ネットワーク側機器が、ダウンリンク制御チャネル検出受信用の第１検出時間パラメータを前記端末に送信すること、または、
前記ネットワーク側機器が、ダウンリンク制御チャネル検出受信用の第１検出時間パラメータを前記端末に暗黙的に指示することを含む。
【００２４】
選択可能に、前記ネットワーク側機器が、ダウンリンク制御チャネル検出受信用の第１検出時間パラメータを前記端末に送信することは、
前記ネットワーク側機器が、ダウンリンク制御チャネル検出受信用の第１検出時間パラメータが含まれるハイレイヤシグナリングを前記端末に送信すること、または、
前記ネットワーク側機器が、ダウンリンク制御チャネル検出受信用の第１検出時間パラメータが含まれるブロードキャストシグナリングまたはマルチキャストシグナリングを前記端末に送信することを含む。
【００２５】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【００２６】
選択可能に、前記方法は、前記ネットワーク側機器が、検出時間パラメータ調整メッセージを前記端末に送信することをさらに含み、
前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる。
【００２７】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【００２８】
選択可能に、前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する。
【００２９】
選択可能に、前記検出時間パラメータ調整メッセージは、ブロードキャストシグナリング、マルチキャストシグナリングまたはスケジューリングダウンリンク制御情報を含む。
【００３０】
第３態様において、本開示の一部実施例は、端末をさらに提供する。当該端末は、
ネットワーク側機器から指示されるダウンリンク制御チャネル検出受信用の第１検出時間パラメータを特定する特定モジュールと、
前記第１検出時間パラメータにしたがって、対応するダウンリンク制御チャネル時間領域リソースを選択してダウンリンク制御チャネル検出受信を行う第１検出モジュールとを含む。
【００３１】
選択可能に、前記第１検出時間パラメータは、
ダウンリンク制御チャネルの検出受信頻度を指示し、
前記第１検出モジュールは、
前記第１検出時間パラメータで指示される検出受信頻度にしたがって、対応するダウンリンク制御チャネル時間領域リソースでダウンリンク制御チャネル検出受信を行う。
【００３２】
選択可能に、前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する。
【００３３】
選択可能に、前記第１検出時間パラメータは、
ダウンリンク制御チャネル検出受信が行われる目標時間領域リソースを、ビットマップ方式で前記端末に指示し、
前記第１検出モジュールは、
前記第１検出時間パラメータで指示される目標時間領域リソースを選択し、前記目標時間領域リソースでダウンリンク制御チャネル検出受信を行う。
【００３４】
選択可能に、前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、
前記第１検出モジュールは、
予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行い、
ここで、各ダウンリンク制御チャネル時間領域リソースセットは、ダウンリンク制御チャネル検出受信に用いられる可能性のある時間領域リソースを少なくとも１つ含む。
【００３５】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【００３６】
選択可能に、前記特定モジュールは、
ネットワーク側機器から送信されるダウンリンク制御チャネル検出受信用の第１検出時間パラメータを受信し、または、
ネットワーク側機器との間で予め協議したダウンリンク制御チャネル検出受信用の第１検出時間パラメータを特定する。
【００３７】
選択可能に、前記特定モジュールは、
ダウンリンク制御チャネル検出受信用の第１検出時間パラメータが含まれるハイレイヤシグナリングをネットワーク側機器から受信し、または、
ダウンリンク制御チャネル検出受信用の第１検出時間パラメータが含まれるブロードキャストシグナリングまたはマルチキャストシグナリングをネットワーク側機器から受信する。
【００３８】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【００３９】
選択可能に、前記端末は、前記ネットワーク側機器から送信される検出時間パラメータ調整メッセージを受信する受信モジュールと、ダウンリンク制御チャネル時間領域リソースで、検出時間パラメータ調整メッセージに対応する検出時間パラメータにしたがって、対応する時間領域リソースを選択してダウンリンク制御チャネル検出受信を行う第２検出モジュールとをさらに含む。
【００４０】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【００４１】
選択可能に、前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する。
【００４２】
選択可能に、前記検出時間パラメータ調整メッセージは、ブロードキャストシグナリング、マルチキャストシグナリングまたはスケジューリングダウンリンク制御情報を含む。
【００４３】
第４態様において、本開示の一部実施例は、ネットワーク側機器をさらに提供する。当該ネットワーク側機器は、ダウンリンク制御チャネル検出受信用の第１検出時間パラメータを端末に指示する指示モジュールを含む。前記第１検出時間パラメータは、前記端末に、前記第１検出時間パラメータにしたがって、対応するダウンリンク制御チャネル時間領域リソースを選択してダウンリンク制御チャネル検出受信を行わせる。
【００４４】
選択可能に、前記第１検出時間パラメータは、ダウンリンク制御チャネルの検出受信頻度を指示する。
【００４５】
選択可能に、前記第１検出時間パラメータは、
所定のＮ（所定の検出受信頻度の数）個の検出受信頻度のうちの１つの検出受信頻度をｌｏｇ２（Ｎ）個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する。
【００４６】
選択可能に、前記第１検出時間パラメータは、ダウンリンク制御チャネル検出受信が行われる目標時間領域リソースを、ビットマップ方式で前記端末に指示する。
【００４７】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【００４８】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【００４９】
選択可能に、前記指示モジュールは、ダウンリンク制御チャネル検出受信用の第１検出時間パラメータを前記端末に送信し、または、ダウンリンク制御チャネル検出受信用の第１検出時間パラメータを前記端末に暗黙的に指示する。
【００５０】
選択可能に、前記指示モジュールは、ダウンリンク制御チャネル検出受信用の第１検出時間パラメータが含まれるハイレイヤシグナリングを前記端末に送信し、または、ダウンリンク制御チャネル検出受信用の第１検出時間パラメータが含まれるブロードキャストシグナリングまたはマルチキャストシグナリングを前記端末に送信する。
【００５１】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【００５２】
選択可能に、前記ネットワーク側機器は、検出時間パラメータ調整メッセージを前記端末に送信する調整モジュールをさらに含み、前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる。
【００５３】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【００５４】
選択可能に、前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する。
【００５５】
選択可能に、前記検出時間パラメータ調整メッセージは、ブロードキャストシグナリング、マルチキャストシグナリングまたはスケジューリングダウンリンク制御情報を含む。
【００５６】
第５態様において、本開示の一部実施例は、プロセッサとメモリを含む端末をさらに提供する。前記メモリは、前記プロセッサによって実行されるプログラムとデータを記憶する。前記プロセッサは、前記メモリからプログラムを読み取って、第１態様に記載の方法を実行する。
【００５７】
第６態様において、本開示の一部実施例は、プロセッサとメモリを含むネットワーク側機器をさらに提供する。前記メモリは、前記プロセッサによって実行されるプログラムとデータを記憶する。前記プロセッサは、前記メモリからプログラムを読み取って、第２態様に記載の方法を実行する。
【００５８】
第７態様において、本開示の一部実施例は、非揮発性のコンピュータ読み取り可能な記憶媒体をさらに提供し、前記非揮発性のコンピュータ読み取り可能な記憶媒体に記憶されているプログラムと指令を含む。前記プログラムと指令がプロセッサによって実行されると、前記プロセッサは、第１態様に記載の方法を実行する。
【００５９】
第８態様において、本開示の一部実施例は、非揮発性のコンピュータ読み取り可能な記憶媒体をさらに提供し、前記非揮発性のコンピュータ読み取り可能な記憶媒体に記憶されているプログラムと指令を含む。前記プログラムと指令がプロセッサによって実行されると、前記プロセッサは、第２態様に記載の方法を実行する。
【発明の効果】
【００６０】
本開示の一部実施例において、端末は、ネットワーク側機器から指示されるダウンリンク制御チャネル検出受信用の第１検出時間パラメータを特定し、前記第１検出時間パラメータにしたがって、対応するダウンリンク制御チャネル時間領域リソースを選択してダウンリンク制御チャネル検出受信を行う。このように、対応するダウンリンク制御チャネル時間領域リソースのみで端末によるダウンリンク制御チャネル検出受信が実現され、端末の電気消費を減少する。
【図面の簡単な説明】
【００６１】
【図１】図１は、本開示の一部実施例の応用可能なネットワーク構造の概略図である。
【図２】図２は、本開示の一部実施例におけるダウンリンク制御チャネル検出受信方法のフローチャートである。
【図３】図３は、本開示の一部実施例におけるダウンリンク制御チャネル検出受信の概略図である。
【図４】図４は、本開示の一部実施例における別のダウンリンク制御チャネル検出受信の概略図である。
【図５】図５は、本開示の一部実施例における別のダウンリンク制御チャネル検出受信の概略図である。
【図６】図６は、本開示の一部実施例における別のダウンリンク制御チャネル検出受信の概略図である。
【図７】図７は、本開示の一部実施例における別のダウンリンク制御チャネル検出受信の概略図である。
【図８】図８は、本開示の一部実施例における別のダウンリンク制御チャネル検出受信方法のフローチャートである。
【図９】図９は、本開示の一部実施例における端末の構造図である。
【図１０】図１０は、本開示の一部実施例における別の端末の構造図である。
【図１１】図１１は、本開示の一部実施例におけるネットワーク側機器の構造図である。
【図１２】図１２は、本開示の一部実施例における別のネットワーク側機器の構造図である。
【図１３】図１３は、本開示の一部実施例における別の端末の構造図である。
【図１４】図１４は、本開示の一部実施例における別のネットワーク側機器の構造図である。
【発明を実施するための形態】
【００６２】
本開示の解決しようとする技術課題、技術手段および利点をより明確にするために、以下、図面および具体的な実施例を通じて詳細に記載する。
【００６３】
図１を参照する。図１は、本開示の一部実施例の応用可能なネットワーク構造の概略図である。図１に示すように、端末１１とネットワーク側機器１２が含まれる。ここで、端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の一部実施例において、端末１１の具体的な種類を限定しない。端末１１は、ネットワーク側機器１２との通信の確立が可能である。ここで、図示のネットワークは、端末１１とネットワーク側機器１２の間で無線で通信を確立することを示す。ネットワーク側機器１２は、ｅＮＢ（ｅｖｏｌｖｅｄ  Ｎｏｄｅ  Ｂ）や他の基地局であり、または、アクセスポイント機器などのネットワーク側機器である。なお、本開示の一部実施例において、ネットワーク側機器１２の具体的な種類を限定しない。
【００６４】
図２を参照する。図２は、本開示の一部実施例におけるダウンリンク制御チャネル検出受信方法のフローチャートである。図２に示すように、以下のステップ２０１〜２０２を含む。
【００６５】
ステップ２０１において、端末は、ネットワーク側機器から指示されるダウンリンク制御チャネル検出受信用の第１検出時間パラメータを特定する。
【００６６】
ステップ２０２において、前記端末は、前記第１検出時間パラメータにしたがって、対応するダウンリンク制御チャネル時間領域リソースを選択してダウンリンク制御チャネル検出受信を行う。
【００６７】
ここで、前記第１検出時間パラメータは、ネットワーク側機器から明示的に指示される。たとえば、ＲＲＣシグナリングなどの明示的なシグナリングを端末に送信することによって、当該シグナリングで前記第１検出時間パラメータを指示し、かつ当該明示的なシグナリングが予め送信されてもよい。または、前記第１検出時間パラメータは、ネットワーク側機器から暗黙的に指示され、たとえば、ネットワーク側機器から予め端末との協議によって特定される。または、ネットワーク側機器は、前記第１検出時間パラメータを特定のサービススケジューリングシグナリングで暗黙的に指示する。すなわち、端末は、サービスの相違に応じて、異なる第１検出時間パラメータで検出を行うことができる。
【００６８】
また、前記第１検出時間パラメータは、特定の時間領域リソースでダウンリンク制御チャネル検出受信を行うように端末に指示し、または、特定の頻度にしたがってダウンリンク制御チャネル検出受信を行うように端末に指示し、たとえば、３つずつのダウンリンク制御チャネル時間領域リソースで１回の検出受信を行う。
【００６９】
端末は、前記第１検出時間パラメータを特定すると、前記第１検出時間パラメータにしたがって、対応するダウンリンク制御チャネル時間領域リソースを選択してダウンリンク制御チャネル検出受信を行う。たとえば、第１検出時間パラメータによって、３つずつのダウンリンク制御チャネル時間領域リソースで１回の検出受信を行うと指示すると、端末は、３つずつのダウンリンク制御チャネル時間領域リソースから１つの時間領域リソースを選択してダウンリンク制御チャネル検出受信を行う。時間領域リソースがＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであることを例とすると、端末は、３つずつのＯＦＤＭシンボルのうち、ダウンリンク制御チャネルが実際に伝送される１つのＯＦＤＭシンボルでダウンリンク制御チャネル検出受信を行う。ここで、ダウンリンク制御チャネルが実際に伝送されるＯＦＤＭシンボルは、ネットワーク側機器から端末に通知される。
【００７０】
また、本開示の一部実施例において、ダウンリンク制御チャネル時間領域リソースは、ダウンリンク制御チャネルの伝送に用いられる可能性のある時間領域リソースであり、または、ダウンリンク制御チャネルが伝送される時間領域リソースである。かつ時間領域リソースは、ＯＦＤＭシンボル、スロット（ｓｌｏｔ）またはサブフレームなどの時間領域リソースである。さらに、時間領域リソースは、時間領域位置と理解されてもよい。
【００７１】
上記ステップによれば、対応するダウンリンク制御チャネル時間領域リソースのみで端末によるダウンリンク制御チャネル検出受信が実現され、端末の電気消費を減少する。
【００７２】
選択可能に、前記第１検出時間パラメータは、ダウンリンク制御チャネルの検出受信頻度を指示する。
前記端末が、前記第１検出時間パラメータにしたがって、対応するダウンリンク制御チャネル時間領域リソースを選択してダウンリンク制御チャネル検出受信を行うことは、前記端末が、前記第１検出時間パラメータで指示される検出受信頻度にしたがって、対応するダウンリンク制御チャネル時間領域リソースでダウンリンク制御チャネル検出受信を行うことを含む。
【００７３】
ここで、前記検出受信頻度は、Ｍ個ずつのダウンリンク制御チャネル時間領域リソースで１回の検出受信を行うと指示し、たとえば、２個ずつのダウンリンク制御チャネルＯＦＤＭシンボルで１回の検出受信を行い、または、ダウンリンク制御チャネルＯＦＤＭシンボル毎に１回の検出受信を行い、または、７個ずつまたは１４個ずつのダウンリンク制御チャネルＯＦＤＭシンボルで１回の検出受信を行う。または、前記検出受信頻度は、時間リソース群毎に１回の検出受信を行ってもよく、たとえば、ダウンリンク制御チャネルスロット毎に１回の検出受信を行う。ここで、前記ダウンリンク制御チャネルＯＦＤＭシンボルは、ダウンリンク制御チャネルの伝送に用いられ、または用いられる可能性のあるＯＦＤＭシンボルである。前記ダウンリンク制御チャネルスロットは、ダウンリンク制御チャネルが伝送され、または伝送される可能性のあるスロットである。すなわち、当該スロット内の１つまたは複数のＯＦＤＭシンボルは、ダウンリンク制御チャネルの伝送に用いられ、または用いられる可能性がある。
【００７４】
当該実施形態において、前記検出受信頻度によって、端末をさらに節電させることができる。
【００７５】
選択可能に、前記第１検出時間パラメータは、所定のＮ（所定の検出受信頻度の数）個の検出受信頻度のうちの１つの検出受信頻度をｌｏｇ２（Ｎ）個のビット（ｂｉｔ）で指示する。
【００７６】
ここで、前記Ｎ個の検出受信頻度は、ネットワーク側機器から端末と予め協議され、または、予め端末に設定される。ｌｏｇ２（Ｎ）個のビットで第１検出時間パラメータを指示することができるため、伝送オーバーヘッドを節約する。たとえば、端末がダウンリンク制御チャネルを検出受信する可能性のある時間頻度を｛１  ２  ７  １４｝個のＯＦＤＭシンボルにすると、基地局は、端末によるダウンリンク制御チャネル検出受信の時間頻度、すなわち第１検出時間パラメータを、２ｂｉｔ情報で通知する必要がある。たとえば、００は、第１検出時間パラメータで指示される検出時間頻度が１個のＯＦＤＭシンボルであることを示す。すなわち、端末は、ダウンリンク制御チャネルＯＦＤＭシンボル毎にダウンリンク制御チャネルを検出受信する必要がある。さらに、たとえば、０１は、検出時間頻度が２個のＯＦＤＭシンボルであることを示す。すなわち、２個ずつのダウンリンク制御チャネルＯＦＤＭシンボルで１回の検出受信を行い、たとえば１個のダウンリンク制御チャネルＯＦＤＭシンボルおきに１回の検出受信を行う。なお、２個のダウンリンク制御チャネルＯＦＤＭシンボルは、時間領域で連続しまたは連続しない２つのＯＦＤＭシンボルである。さらに、たとえば、１１は、ダウンリンク制御チャネル検出受信の時間頻度が７個のＯＦＤＭシンボルであることを示す。すなわち、７個ずつのダウンリンク制御チャネルＯＦＤＭシンボルで１回の検出受信を行い、たとえば６個のダウンリンク制御チャネルＯＦＤＭシンボルを介して１回の検出受信を行う。さらに、たとえば、１０は、検出時間頻度が１４個のＯＦＤＭシンボルであることを示す。すなわち、１４個ずつのダウンリンク制御チャネルＯＦＤＭシンボルで１回の検出受信を行い、たとえば１３個のダウンリンク制御チャネルＯＦＤＭシンボルを介して１回の検出受信を行う。
【００７７】
以下、当該実施形態について、例を挙げて説明する。各ｓｌｏｔは、７個のＯＦＤＭシンボルからなるとする。端末によるダウンリンク制御チャネル検出受信の最小時間頻度は、端末がＯＦＤＭシンボル毎にダウンリンク制御チャネルを検出受信し、端末によるダウンリンク制御チャネル検出受信の最大時間頻度は、端末が１４個ずつのＯＦＤＭシンボルでダウンリンク制御チャネルを１回検出受信する。端末によるダウンリンク制御チャネル検出時間の頻度をＮとする。本実施例において、Ｎ＝４とし、たとえば、１個ずつのＯＦＤＭシンボル、２個ずつのＯＦＤＭシンボル、７個ずつのＯＦＤＭシンボルおよび１４個ずつのＯＦＤＭシンボルで１回伝送する。すると、ネットワーク側機器は、端末によるダウンリンク制御チャネル検出受信の頻度を、ｃｅｉｌ（ｌｏｇ２（４））＝２ｂｉｔのハイレイヤシグナリング情報で指示する必要がある。ネットワーク側機器は、ＲＲＣシグナリング（ＲＲＣ  ｓｉｇｎａｌｉｎｇ）などのハイレイヤシグナリングで当該情報を通知する。具体的に、００は、端末がＯＦＤＭシンボル毎にダウンリンク制御チャネルを検出受信する必要があることを示し、０１は、端末が２個ずつのＯＦＤＭシンボルでダウンリンク制御チャネルを１回検出受信する必要があることを示し、１０は、端末が７個ずつのＯＦＤＭシンボルでダウンリンク制御チャネルを１回検出受信する必要があることを示し、１１は、端末が１４個ずつのシンボルでダウンリンク制御チャネルを１回検出受信する必要があることを示す。ネットワーク側機器は、ダウンリンク制御チャネルの検出受信頻度を、ＲＲＣ  ｓｉｇｎａｌｉｎｇなどのハイレイヤシグナリングで端末に通知する。端末は、ＲＲＣ  ｓｉｇｎａｌｉｎｇを受信すると、それによって通知されるダウンリンク制御チャネルを検出受信する時間頻度指示情報にしたがって、一定の時間頻度でダウンリンク制御チャネルを検出受信する。たとえば、ネットワーク側機器から通知されるダウンリンク制御チャネルの検出受信頻度が１個のＯＦＤＭシンボルであると、端末は、ＯＦＤＭシンボル毎にダウンリンク制御チャネルの検出受信を試みる。たとえば、ネットワーク側機器から通知されるダウンリンク制御チャネル検出受信の時間頻度が２個のＯＦＤＭシンボルであると、端末は、２個ずつのＯＦＤＭシンボルでダウンリンク制御チャネルの検出受信を試みる。図３に示すように、このように類推する。なお、図示のＰＤＣＣＨ（Ｐｈｙｓｉｃａｌ  Ｄｏｗｎｌｉｎｋ  Ｃｏｎｔｒｏｌ  Ｃｈａｎｎｅｌ）検出リソース位置（ｍｏｎｉｔｏｒｉｎｇ  ｏｃｃａｓｉｏｎ）は、具体的なリソース位置を示すのではなく、単に、当該ＯＦＤＭシンボルまたは当該ｓｌｏｔ内で端末によるダウンリンク制御チャネル検出受信が必要であることを示す。
【００７８】
選択可能に、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示するが、前記１ビットが第２値である場合、前記第１検出時間パラメータは、各ダウンリンク制御チャネルシンボルで１回の検出受信を行うと指示する。
【００７９】
当該実施形態において、第１検出時間パラメータを１ビットで指示することが実現され、さらに伝送オーバーヘッドを節約する。たとえば、０は、端末が各ダウンリンク制御チャネルスロット内で１回の検出受信を行うことを示し、１は、端末がＯＦＤＭシンボル毎にダウンリンク制御チャネルを検出受信することを示す。
【００８０】
選択可能に、前記第１検出時間パラメータは、ダウンリンク制御チャネル検出受信が行われる目標時間領域リソースを、ビットマップ（ｂｉｔｍａｐ）方式で前記端末に指示する。
【００８１】
前記端末が、前記第１検出時間パラメータにしたがって、対応するダウンリンク制御チャネル時間領域リソースを選択してダウンリンク制御チャネル検出受信を行うことは、前記端末が、前記第１検出時間パラメータで指示される目標時間領域リソースを選択し、前記目標時間領域リソースでダウンリンク制御チャネル検出受信を行うことを含む。
【００８２】
当該実施形態において、ビットマップ方式で指示することによって、対応する時間領域リソースでダウンリンク制御チャネル検出受信を行うように端末に正確に指示することが実現される。たとえば、１つのｓｌｏｔ内に７個のＯＦＤＭシンボルを含むと、ネットワーク側機器は、各ｓｌｏｔ内でダウンリンク制御チャネル検出受信が行われるシンボルを、長さが７であるｂｉｔｍａｐで端末に通知する。１は、当該シンボルでダウンリンク制御チャネル検出受信が行われることを示し、０は、当該シンボルでダウンリンク制御チャネル検出受信が行われないことを示す。
【００８３】
以下、当該実施形態について、例を挙げて説明する。各ｓｌｏｔは、７個のＯＦＤＭシンボルからなるとする。端末によるダウンリンク制御チャネル検出受信の最小時間頻度は、端末がＯＦＤＭシンボル毎にダウンリンク制御チャネルを検出受信する。ネットワーク側機器は、たとえば７ｂｉｔのｂｉｔｍａｐ方式で、ダウンリンク制御チャネルの検出受信時間頻度を端末に通知する。ここで、各ｂｉｔは、１つのＯＦＤＭシンボルを示し、１は、対応するＯＦＤＭシンボルで端末によるダウンリンク制御チャネル検出受信が必要であることを示し、０は、当該ＯＦＤＭシンボルで端末によるダウンリンク制御チャネル検出受信が必要でないことを示す。ネットワーク側機器は、ＲＲＣ  ｓｉｇｎａｌｉｎｇなどのハイレイヤシグナリングで前記ｂｉｔｍａｐを付帯し、ダウンリンク制御チャネルの検出時間パラメータを端末に通知する。端末は、ＲＲＣ  ｓｉｇｎａｌｉｎｇを受信すると、それに付帯されるｂｉｔｍａｐにしたがって、ダウンリンク制御チャネル検出受信が行われる時間領域リソースを特定し、当該時間領域リソースでダウンリンク制御チャネルを検出受信する。たとえばｂｉｔｍａｐが１００００００であることは、各ｓｌｏｔの１つめのＯＦＤＭシンボルのみで端末によるダウンリンク制御チャネル検出受信が必要であることを示し、１１０００００は、各ｓｌｏｔの１つめと２つめのＯＦＤＭシンボルのみで端末によるダウンリンク制御チャネルの検出受信が必要であることを示し、１１１１１１１は、ｓｌｏｔのダウンリンク制御チャネル毎に端末によるダウンリンク制御チャネル検出受信が必要であることを示す。ネットワーク側機器は、必要に応じて、ダウンリンク制御チャネル検出受信が行われる時間領域リソースを柔軟に端末に指示する。図４には、具体的な例が示されている。なお、図示のＰＤＣＣＨ検出リソース位置（ｍｏｎｉｔｏｒｉｎｇ  ｏｃｃａｓｉｏｎ）は、具体的なリソース位置を示すのではなく、単に、当該ＯＦＤＭシンボルまたは当該ｓｌｏｔ内で端末によるダウンリンク制御チャネル検出受信が必要であることを示す。
【００８４】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【００８５】
前記端末が、前記第１検出時間パラメータにしたがって、対応するダウンリンク制御チャネル時間領域リソースを選択してダウンリンク制御チャネル検出受信を行うことは、前記端末が、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行うことを含む。ここで、各ダウンリンク制御チャネル時間領域リソースセットは、ダウンリンク制御チャネル検出受信に用いられる可能性のある時間領域リソースを少なくとも１つ含む。
【００８６】
当該実施形態において、ダウンリンク制御チャネル時間領域リソースセットの方式で、ダウンリンク制御チャネル検出受信が行われる時間領域リソースを指示することが実現され、伝送オーバーヘッドを節約する。たとえば、端末は、たとえば１つのｓｌｏｔ内の一定時間内の、可能性のあるすべてのダウンリンク制御チャネル検出受信位置に番号を付けて組み分けを行い、一定の原則にしたがって、各ｓｌｏｔから１つのサブセットを選択し、サブセットに含まれる時間領域位置でダウンリンク制御チャネルを検出受信する。
【００８７】
１つのｓｌｏｔ内に７個のＯＦＤＭシンボルを含むとし、ダウンリンク制御チャネルは、ＯＦＤＭシンボル毎に伝送される可能性がある。可能性のあるすべてのダウンリンク制御チャネル検出受信位置に番号を付けて組み分けを行い、一定の原則にしたがって、各ｓｌｏｔから１つのサブセットを選択し、サブセットに含まれる時間領域位置でダウンリンク制御チャネルを検出受信する。たとえば１つのｓｌｏｔ内で、ダウンリンク制御チャネルは、ＯＦＤＭシンボル毎に伝送される可能性があり、ＯＦＤＭシンボル１で伝送されるダウンリンク制御チャネルをｏｃｃａｓｉｏｎ１に標識し、ＯＦＤＭシンボル２で伝送されるダウンリンク制御チャネルをｏｃｃａｓｉｏｎ２に標識し、このように類推して、ＯＦＤＭシンボル７で伝送されるダウンリンク制御チャネルをｏｃｃａｓｉｏｎ７に標識する。ｏｃｃａｓｉｏｎ１−ｏｃｃａｓｉｏｎ７に対し組み分けを行い、たとえば｛ｏｃｃａｓｉｏｎ１，ｏｃｃａｓｉｏｎ３，ｏｃｃａｓｉｏｎ５，ｏｃｃａｓｉｏｎ７｝と｛ｏｃｃａｓｉｏｎ２，ｏｃｃａｓｉｏｎ４，ｏｃｃａｓｉｏｎ６｝に分ける。各ｓｌｏｔ内で、端末とネットワーク機器との間で予め協議して特定されたりして、予め定義されているルールにしたがって、１つのサブセットに含まれる時間領域位置でダウンリンク制御チャネルを検出受信する。
【００８８】
たとえば、ｓｌｏｔ番号が奇数であるか偶数であるかに応じて、当該ｓｌｏｔで検出受信されるダウンリンク制御チャネル位置サブセットを選択する。具体的に、たとえば図５に示すように、ｓｌｏｔ番号が奇数であると、サブセット１の｛ｏｃｃａｓｉｏｎ１，ｏｃｃａｓｉｏｎ３，ｏｃｃａｓｉｏｎ５，ｏｃｃａｓｉｏｎ７｝にしたがって、当該サブフレームの第１、３、５、７個のＯＦＤＭシンボルでダウンリンク制御チャネルを検出受信し、ｓｌｏｔ番号が偶数であると、サブセット２の｛ｏｃｃａｓｉｏｎ２，ｏｃｃａｓｉｏｎ４，ｏｃｃａｓｉｏｎ６｝にしたがって、当該サブフレームの第２、４、６個のＯＦＤＭシンボルでダウンリンク制御チャネルを検出受信する。
【００８９】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【００９０】
ここで、前記明示的に指示することは、ネットワーク側機器からハイレイヤシグナリングなどのシグナリングで端末に指示する。前記予め協議して特定することは、ネットワーク側機器と端末との間で予め協議しておき、たとえば端末が予め定義されているルールで前記目標時間領域リソースセットを選択する。
【００９１】
なお、１つの時間領域リソースセットしか予め定義されていない場合、端末は、直接当該時間領域リソースセットを選択する。すなわち、ネットワーク側機器と端末とは、当該時間領域リソースセットでダウンリンク制御チャネルを検出受信することを、予め協議して特定した。
【００９２】
選択可能に、前記端末が、ネットワーク側機器から指示されるダウンリンク制御チャネル検出受信用の第１検出時間パラメータを特定することは、前記端末が、ネットワーク側機器から送信されるダウンリンク制御チャネル検出受信用の第１検出時間パラメータを受信すること、または、前記端末が、ネットワーク側機器との間で予め協議したダウンリンク制御チャネル検出受信用の第１検出時間パラメータを特定することを含む。
【００９３】
当該実施形態において、ネットワーク側機器から指示される第１検出時間パラメータを、端末が明示的または暗黙的に受信することが実現される。ここで、暗黙的に指示することは、ネットワーク側機器と端末との間で予め協議して特定する。このように、伝送オーバーヘッドを節約する。
【００９４】
選択可能に、前記端末が、ネットワーク側機器から送信されるダウンリンク制御チャネル検出受信用の第１検出時間パラメータを受信することは、前記端末が、ダウンリンク制御チャネル検出受信用の第１検出時間パラメータが含まれるハイレイヤシグナリングをネットワーク側機器から受信すること、または、前記端末が、ダウンリンク制御チャネル検出受信用の第１検出時間パラメータが含まれるブロードキャストシグナリングまたはマルチキャストシグナリングをネットワーク側機器から受信することを含む。
【００９５】
ここで、前記ハイレイヤシグナリングは、端末専用シグナリングであり、たとえば、ＵＥ−ｓｐｅｃｉｆｉｃのシグナリングであり、もちろん、ＲＲＣシグナリングなど、他のシグナリングであってもよい。これに対し、本開示の実施例において限定しない。
【００９６】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【００９７】
ここで、前記所定時間帯は、特定の期間であり、または、所定数の時間領域リソースなどである。
【００９８】
選択可能に、前記方法は、前記端末が、前記ネットワーク側機器から送信される検出時間パラメータ調整メッセージを受信することと、前記端末が、ダウンリンク制御チャネル時間領域リソースで、検出時間パラメータ調整メッセージに対応する検出時間パラメータにしたがって、対応する時間領域リソースを選択してダウンリンク制御チャネル検出受信を行うこととをさらに含む。
【００９９】
当該実施形態において、端末の検出時間パラメータを柔軟に調整することが実現される。ここで、前記検出時間パラメータ調整メッセージに対応する検出時間パラメータは、当該検出時間パラメータ調整メッセージに含まれる第２検出時間パラメータである。または、前記検出時間パラメータ調整メッセージに対応する検出時間パラメータは、前記第１検出時間パラメータであり、すなわち、前記検出時間パラメータ調整メッセージによって、引き続き第１検出時間パラメータにしたがってダウンリンク制御チャネル検出受信を行うように指示する。また、前記検出時間パラメータ調整メッセージは、１つまたは複数のスロット内で、検出時間パラメータ調整メッセージに対応する検出時間パラメータにしたがって、対応する時間領域リソースを選択してダウンリンク制御チャネル検出受信を行うように指示する。
【０１００】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【０１０１】
たとえば、前記第２検出時間パラメータは、１ｂｉｔの指示情報である。指示情報が０である場合、端末によるダウンリンク制御チャネル検出受信の時間頻度が、スロット毎またはＯＦＤＭシンボル毎に１回の検出受信を行うことを示す。指示情報が１である場合、端末が引き続き前記第１検出時間パラメータにしたがってダウンリンク制御チャネル検出受信を行うことを示す。または、前記第２検出時間パラメータは、１つまたは複数のｓｌｏｔ内で端末によるダウンリンク制御チャネル検出受信の頻度または時間領域リソースをｃｅｉｌ（ｌｏｇ２（Ｎ））ｂｉｔで指示する。前記Ｎは、所定の検出受信頻度の数である。または、前記第２検出時間パラメータは、１つまたは複数のｓｌｏｔ内で端末によるダウンリンク制御チャネル検出受信の時間領域リソースをｂｉｔｍａｐの方式で調整する。たとえば、Ｍ（Ｍ＝７）ビットによって調整する。Ｂｉｔｍａｐにおいて、０は、当該ＯＦＤＭシンボルまたは最小スロット（ｍｉｎｉ−ｓｌｏｔ）でのダウンリンク制御チャネル検出受信が行われないことを示す。ここで、当該最小スロットは、１以上のＯＦＤＭシンボルからなり、時間領域リソースの最小リソース粒子度である。１は、当該ＯＦＤＭシンボルまたはｍｉｎｉ−ｓｌｏｔでのダウンリンク制御チャネル検出受信が行われることを示す。
【０１０２】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。
【０１０３】
ここで、前記Ｔ個のダウンリンク制御チャネル時間領域リソースは、ネットワーク側機器と端末との間で予め協議して特定され、または、ネットワーク側機器から予め端末に設定され、または、前記検出時間パラメータ調整メッセージで指示される。
【０１０４】
当該実施形態において、前記検出時間パラメータ調整メッセージ受信後のＴ個のダウンリンク制御チャネル時間領域リソースで、前記第２検出時間パラメータにしたがってダウンリンク制御チャネル検出受信を行うことが実現され、検出時間パラメータを柔軟に調整することが実現される。たとえば、検出時間パラメータ調整メッセージには１ｂｉｔの指示情報を含み、後のＮ（１以上の正整数であり、たとえばＮ＝７）個のＯＦＤＭシンボル内で、端末がｓｌｏｔまたはＯＦＤＭシンボル毎にダウンリンク制御チャネルを検出受信することを指示する。具体的に、指示ｂｉｔが０であると、端末がｓｌｏｔでダウンリンク制御チャネルを検出受信することを示し、すなわちｓｌｏｔ毎に１回の検出受信を行う。指示ｂｉｔが１であると、端末がＯＦＤＭシンボルでダウンリンク制御チャネルを検出受信することを示し、すなわち後のＮ個のＯＦＤＭシンボルで、ＯＦＤＭシンボル毎にダウンリンク制御チャネルを検出受信する。
【０１０５】
選択可能に、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。
【０１０６】
ここで、前記Ｋ個のダウンリンク制御チャネル時間領域リソースは、ネットワーク側機器と端末との間で予め協議して特定され、または、ネットワーク側機器から予め端末に設定され、または、前記検出時間パラメータ調整メッセージで指示される。
【０１０７】
当該実施形態において、Ｋ個の連続する時間領域リソースで、前記第２検出時間パラメータにしたがってダウンリンク制御チャネル検出受信を行うことが実現され、検出時間パラメータを柔軟に調整することが実現される。たとえば、検出時間パラメータ調整メッセージにはｃｅｉｌ（ｌｏｇ２（Ｎ））ｂｉｔを含み、端末によるダウンリンク制御チャネル検出受信の第２検出時間パラメータを指示する。更新されるダウンリンク制御チャネル検出受信時間頻度の発効時間は、現在のｓｌｏｔであり、または、予め定義されている連続の複数ｓｌｏｔである。
【０１０８】
選択可能に、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０１０９】
当該実施形態において、次の検出時間パラメータ調整メッセージを受信するまで、すべて前記第２検出時間パラメータにしたがってダウンリンク制御チャネル検出受信を行うことが実現される。
【０１１０】
選択可能に、前記検出時間パラメータ調整メッセージは、ブロードキャストシグナリング、マルチキャストシグナリングまたはスケジューリングダウンリンク制御情報（Ｄｏｗｎｌｉｎｋ  Ｃｏｎｔｒｏｌ  Ｉｎｆｏｒｍａｔｉｏｎ）を含む。
【０１１１】
たとえば、ネットワーク側機器は、ダウンリンク制御チャネル検出受信用の第１検出時間パラメータをハイレイヤシグナリングによって端末に設定する。当該第１検出時間パラメータは、以上紹介した任意の実施形態を参照されたい。ネットワーク側機器は、ダウンリンク制御チャネル検出受信用の第１検出時間パラメータをハイレイヤシグナリングによって端末に設定した後に、マルチキャストチャネルに付帯される指示情報によって、端末によるダウンリンク制御チャネル検出受信の検出時間パラメータを調整する。前記マルチキャストチャネルは、１つの端末群に有効であり、すなわち１つの端末群のみによって受信されるので、付帯されている情報が当該端末群のみに有効である。たとえば、マルチキャストチャネルが端末ＵＥ１〜ＵＥ５に有効であると、端末ＵＥ１〜ＵＥ５は、当該マルチキャストチャネルに付帯される指示情報に基づいて、ダウンリンク制御チャネル検出受信用の頻度または位置を調整する。
【０１１２】
具体的に、マルチキャストチャネルに付帯される指示情報は、１ｂｉｔの指示情報によって、端末によるダウンリンク制御チャネル検出受信の検出時間パラメータを調整する。指示情報が０である場合、端末によるダウンリンク制御チャネル検出受信の検出受信頻度が、１つのｓｌｏｔまたは１つのシンボルであることを示し、指示情報が１である場合、端末によるダウンリンク制御チャネル検出受信の検出受信頻度が、ハイレイヤシグナリングで設定される時間頻度であることを示す。図６のＢを参照する。
【０１１３】
または、ｃｅｉｌ（ｌｏｇ２（Ｎ））ｂｉｔで、１つまたは複数のｓｌｏｔ内で、端末によるダウンリンク制御チャネル検出受信の検出受信頻度を指示する。Ｎは、端末によるダウンリンク制御チャネル検出受信の検出受信頻度の数である。本実施例において、Ｎ＝４とする。すなわち、図６のＡに示すように、端末によるダウンリンク制御チャネル検出受信の検出受信頻度は、｛１  ２  ７  １４｝個のＯＦＤＭシンボルである。
【０１１４】
または、ｂｉｔｍａｐの方式で、１つまたは複数のｓｌｏｔ内で、端末によるダウンリンク制御チャネル検出受信の時間領域リソースを調整する。本実施例において、ｂｉｔｍａｐの長さを７とし、図６のＣを参照する。
【０１１５】
この例において、ＲＲＣシグナリングによって、端末によるダウンリンク制御チャネル検出受信の第１検出パラメータを設定し、端末は、ＯＦＤＭシンボル毎にダウンリンク制御チャネルを検出受信し、ネットワーク側機器は、マルチキャストチャネルに付帯されている指示情報で前記第１検出パラメータを調整する。図６を参照する。端末は、マルチキャストシグナリングを受信すると、次のマルチキャストシグナリングを受信するまで、または、前記マルチキャストシグナリングの有効期間が終了するまで、マルチキャストシグナリングで通知されるダウンリンク制御チャネル検出受信時間頻度にしたがってダウンリンク制御チャネルを検出する。さらに、前記ダウンリンク制御チャネルの検出受信頻度を調整する指示シグナリングは、ブロードキャストシグナリングで通知され、ここでは繰り返して記載しない。
【０１１６】
たとえば、ＤＣＩを例とし、ネットワーク側機器は、ダウンリンク制御チャネル検出受信用の第１検出パラメータをハイレイヤシグナリングによって端末に設定する。当該第１検出パラメータは、以上紹介した任意の実施形態を参照されたい。ネットワーク側機器は、ダウンリンク制御チャネル検出受信用の検出時間パラメータをハイレイヤシグナリングによって端末に設定した後に、スケジューリング端末のＤＣＩに付帯されている指示情報によって、端末によるダウンリンク制御チャネル検出受信の検出時間パラメータを調整する。前記スケジューリング端末のＤＣＩに付帯されている指示情報の有効時間は、スケジューリング端末の伝送が行われるｓｌｏｔまたは前記ＤＣＩが伝送されるｓｌｏｔを含んだ連続で複数のｓｌｏｔまたは端末が次の有効のスケジューリングＤＣＩを受信するまでである。端末は、スケジューリングＤＣＩを受信しなかった場合や、スケジューリングＤＣＩで送信される指示情報の有効期間以外にある場合、ハイレイヤシグナリングで設定されるダウンリンク制御チャネルの検出時間パラメータにしたがってダウンリンク制御チャネルを検出受信する。
【０１１７】
ネットワーク側機器は、以下の方式で、ダウンリンク制御チャネル検出受信時間頻度をスケジューリングＤＣＩで調整する。
【０１１８】
ＤＣＩは１ｂｉｔの指示情報を含み、後のＮ（１以上の正整数であり、たとえばＮ＝７）個のＯＦＤＭシンボル内で、端末がｓｌｏｔまたはＯＦＤＭシンボル毎にダウンリンク制御チャネルを検出受信することを指示する。具体的に、指示ｂｉｔが０である場合、端末がｓｌｏｔでダウンリンク制御チャネルを検出受信することを示し、指示ｂｉｔが１である場合、端末がＯＦＤＭシンボルでダウンリンク制御チャネルを検出受信することを示し、すなわち、後のＮ個のＯＦＤＭシンボル内で、ＯＦＤＭシンボル毎にダウンリンク制御チャネルを検出受信する。図７のＡを参照する。
【０１１９】
または、ＤＣＩはｃｅｉｌ（ｌｏｇ２（Ｎ））ｂｉｔを含み、端末によるダウンリンク制御チャネル検出受信の時間頻度を指示し、更新されるダウンリンク制御チャネルの検出時間パラメータの発効時間は、現在のｓｌｏｔまたは次のスケジューリングＤＣＩを受信するまでである。たとえば、端末は、ＯＦＤＭ毎、または、２個ずつのＯＦＤＭシンボル、またはｓｌｏｔ毎の３種類の時間頻度でダウンリンク制御チャネルを検出受信する。ここで、００は、ＯＦＤＭ毎を示し、０１は、２個ずつのＯＦＤＭシンボルを示し、１０は、ｓｌｏｔ毎を示す。図７のＢを参照する。
【０１２０】
または、ＤＣＩは、Ｍ  ｂｉｔのｂｉｔｍａｐを含み、端末によるダウンリンク制御チャネル検出受信の時間領域位置を指示する。たとえばＭ＝７である。Ｂｉｔｍａｐにおいて、０は、当該ＯＦＤＭシンボルまたはｍｉｎｉ−ｓｌｏｔ（１以上のＯＦＤＭシンボルからなり、時間領域リソースの最小リソース粒子度である。）でダウンリンク制御チャネル検出受信が行われないことを示し、１は、当該ＯＦＤＭシンボルまたはｍｉｎｉ−ｓｌｏｔでダウンリンク制御チャネル検出受信が行われることを示す。図７のＣを参照する。
【０１２１】
この例において、スケジューリング端末のＤＣＩに付帯されている指示情報の有効期間は、現在のｓｌｏｔとする。その場合、図７を参照する。
【０１２２】
なお、本開示の一部実施例において以上紹介した複数の選択可能な実施形態は、互いに組み合わせて実現されてもよく、単独で実現されてもよいが、これに対し、本開示の一部実施例において限定しない。
【０１２３】
本開示の一部実施例において、端末は、ネットワーク側機器から指示されるダウンリンク制御チャネル検出受信用の第１検出時間パラメータを特定し、前記第１検出時間パラメータにしたがって、対応するダウンリンク制御チャネル時間領域リソースを選択してダウンリンク制御チャネル検出受信を行う。このように、対応するダウンリンク制御チャネル時間領域リソースのみで端末によるダウンリンク制御チャネル検出受信が実現され、端末の電気消費を減少する。
【０１２４】
図８を参照する。図８は、本開示の一部実施例における別のダウンリンク制御チャネル検出受信方法のフローチャートである。図８に示すように、以下のステップ８０１を含む。
【０１２５】
ステップ８０１において、ネットワーク側機器は、ダウンリンク制御チャネル検出受信用の第１検出時間パラメータを端末に指示する。前記第１検出時間パラメータは、前記端末に、前記第１検出時間パラメータにしたがって、対応するダウンリンク制御チャネル時間領域リソースを選択してダウンリンク制御チャネル検出受信を行わせる。
【０１２６】
選択可能に、前記第１検出時間パラメータは、ダウンリンク制御チャネルの検出受信頻度を指示する。
【０１２７】
選択可能に、前記第１検出時間パラメータは、所定のＮ（所定の検出受信頻度の数）個の検出受信頻度のうちの１つの検出受信頻度をｌｏｇ２（Ｎ）個のビットで指示する。または、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示する。前記１ビットが第２値である場合、前記第１検出時間パラメータは、各ダウンリンク制御チャネルシンボルで１回の検出受信を行うと指示する。
【０１２８】
選択可能に、前記第１検出時間パラメータは、ダウンリンク制御チャネル検出受信が行われる目標時間領域リソースを、ビットマップ方式で前記端末に指示する。
【０１２９】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【０１３０】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【０１３１】
選択可能に、前記ネットワーク側機器が、ダウンリンク制御チャネル検出受信用の第１検出時間パラメータを端末に指示することは、前記ネットワーク側機器が、ダウンリンク制御チャネル検出受信用の第１検出時間パラメータを前記端末に送信すること、または、前記ネットワーク側機器が、ダウンリンク制御チャネル検出受信用の第１検出時間パラメータを前記端末に暗黙的に指示することを含む。
【０１３２】
選択可能に、前記ネットワーク側機器が、ダウンリンク制御チャネル検出受信用の第１検出時間パラメータを前記端末に指示することは、前記ネットワーク側機器が、ダウンリンク制御チャネル検出受信用の第１検出時間パラメータが含まれるハイレイヤシグナリングを前記端末に送信すること、または、前記ネットワーク側機器が、ダウンリンク制御チャネル検出受信用の第１検出時間パラメータが含まれるブロードキャストシグナリングまたはマルチキャストシグナリングを前記端末に送信することを含む。
【０１３３】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【０１３４】
選択可能に、前記方法は、前記ネットワーク側機器が、検出時間パラメータ調整メッセージを前記端末に送信することをさらに含み、前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる。
【０１３５】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【０１３６】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。または、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。または、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０１３７】
選択可能に、前記検出時間パラメータ調整メッセージは、ブロードキャストシグナリング、マルチキャストシグナリングまたはスケジューリングダウンリンク制御情報を含む。
【０１３８】
なお、本実施例は、図２に示す実施例に対応するネットワーク側機器の実施形態として、その具体的な実施形態について、図２に示す実施例の関連説明を参照されたく、重複に説明することを避けるためにここでは繰り返して記載させず、かつ同一の効果を奏することもできる。
【０１３９】
図９を参照する。図９は、本開示の一部実施例における端末の構造図である。図９に示すように、端末９００は、特定モジュール９０１と、第１検出モジュール９０２とを含む。
【０１４０】
特定モジュール９０１は、ネットワーク側機器から指示されるダウンリンク制御チャネル検出受信用の第１検出時間パラメータを特定する。第１検出モジュール９０２は、前記第１検出時間パラメータにしたがって、対応するダウンリンク制御チャネル時間領域リソースを選択してダウンリンク制御チャネル検出受信を行う。
【０１４１】
選択可能に、前記第１検出時間パラメータは、ダウンリンク制御チャネルの検出受信頻度を指示する。前記第１検出モジュール９０２は、前記第１検出時間パラメータで指示される検出受信頻度にしたがって、対応するダウンリンク制御チャネル時間領域リソースでダウンリンク制御チャネル検出受信を行う。
【０１４２】
選択可能に、前記第１検出時間パラメータは、所定のＮ（所定の検出受信頻度の数）個の検出受信頻度のうちの１つの検出受信頻度をｌｏｇ２（Ｎ）個のビットで指示する。または、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示する。前記１ビットが第２値である場合、前記第１検出時間パラメータは、各ダウンリンク制御チャネルシンボルで１回の検出受信を行うと指示する。
【０１４３】
選択可能に、前記第１検出時間パラメータは、ダウンリンク制御チャネル検出受信が行われる目標時間領域リソースを、ビットマップ方式で前記端末に指示し、前記第１検出モジュール９０２は、前記第１検出時間パラメータで指示される目標時間領域リソースを選択し、前記目標時間領域リソースでダウンリンク制御チャネル検出受信を行う。
【０１４４】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【０１４５】
前記第１検出モジュール９０２は、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行う。ここで、各ダウンリンク制御チャネル時間領域リソースセットは、ダウンリンク制御チャネル検出受信に用いられる可能性のある時間領域リソースを少なくとも１つ含む。
【０１４６】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【０１４７】
選択可能に、前記特定モジュール９０１は、ネットワーク側機器から送信されるダウンリンク制御チャネル検出受信用の第１検出時間パラメータを受信する。または、前記特定モジュール９０１は、ネットワーク側機器との間で予め協議したダウンリンク制御チャネル検出受信用の第１検出時間パラメータを特定する。
【０１４８】
選択可能に、前記特定モジュール９０１は、ダウンリンク制御チャネル検出受信用の第１検出時間パラメータが含まれるハイレイヤシグナリングをネットワーク側機器から受信する。または、前記特定モジュール９０１は、ダウンリンク制御チャネル検出受信用の第１検出時間パラメータが含まれるブロードキャストシグナリングまたはマルチキャストシグナリングをネットワーク側機器から受信する。
【０１４９】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【０１５０】
選択可能に、図１０に示すように、端末９００は、前記ネットワーク側機器から送信される検出時間パラメータ調整メッセージを受信する受信モジュール９０３と、ダウンリンク制御チャネル時間領域リソースで、検出時間パラメータ調整メッセージに対応する検出時間パラメータにしたがって、対応する時間領域リソースを選択してダウンリンク制御チャネル検出受信を行う第２検出モジュール９０４とをさらに含む。
【０１５１】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【０１５２】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。または、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。または、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０１５３】
選択可能に、前記検出時間パラメータ調整メッセージは、ブロードキャストシグナリング、マルチキャストシグナリングまたはスケジューリングダウンリンク制御情報を含む。
【０１５４】
なお、本実施例における上記端末９００は、本開示の一部実施例の方法実施例における任意の実施形態の端末であってもよい。本開示の一部実施例の方法実施例における端末の任意の実施形態は、すべて本実施例における上記端末９００によって実現可能であり、同一の効果を奏することもできるが、ここでは繰り返して記載しない。
【０１５５】
図１１を参照する。図１１は、本開示の一部実施例における別のネットワーク側機器の構造図である。図１１に示すように、ネットワーク側機器１１００は、ダウンリンク制御チャネル検出受信用の第１検出時間パラメータを端末に指示する指示モジュール１１０１を含む。前記第１検出時間パラメータは、前記端末に、前記第１検出時間パラメータにしたがって、対応するダウンリンク制御チャネル時間領域リソースを選択してダウンリンク制御チャネル検出受信を行わせる。
【０１５６】
選択可能に、前記第１検出時間パラメータは、ダウンリンク制御チャネルの検出受信頻度を指示する。
【０１５７】
選択可能に、前記第１検出時間パラメータは、所定のＮ（所定の検出受信頻度の数）個の検出受信頻度のうちの１つの検出受信頻度をｌｏｇ２（Ｎ）個のビットで指示する。または、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示する。前記１ビットが第２値である場合、前記第１検出時間パラメータは、各ダウンリンク制御チャネルシンボルで１回の検出受信を行うと指示する。
【０１５８】
選択可能に、前記第１検出時間パラメータは、ダウンリンク制御チャネル検出受信が行われる目標時間領域リソースを、ビットマップ方式で前記端末に指示する。
【０１５９】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【０１６０】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【０１６１】
選択可能に、前記指示モジュール１１０１は、ダウンリンク制御チャネル検出受信用の第１検出時間パラメータを前記端末に送信する。または、前記指示モジュール１１０１は、ダウンリンク制御チャネル検出受信用の第１検出時間パラメータを前記端末に暗黙的に指示する。
【０１６２】
選択可能に、前記指示モジュール１１０１は、ダウンリンク制御チャネル検出受信用の第１検出時間パラメータが含まれるハイレイヤシグナリングを前記端末に送信する。または、前記指示モジュール１１０１は、ダウンリンク制御チャネル検出受信用の第１検出時間パラメータが含まれるブロードキャストシグナリングまたはマルチキャストシグナリングを前記端末に送信する。
【０１６３】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【０１６４】
選択可能に、図１２に示すように、前記ネットワーク側機器１１００は、検出時間パラメータ調整メッセージを前記端末に送信する調整モジュール１１０２をさらに含み、前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる。
【０１６５】
選択可能に、前記検出時間パラメータ調整メッセージは、第２検出時間パラメータにしたがってダウンリンク制御チャネル検出受信を行うように前記端末に指示する。または、前記検出時間パラメータ調整メッセージは、引き続き前記第１検出時間パラメータにしたがってダウンリンク制御チャネル検出受信を行うように前記端末に指示する。
【０１６６】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。または、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。または、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０１６７】
選択可能に、前記検出時間パラメータ調整メッセージは、ブロードキャストシグナリング、マルチキャストシグナリングまたはスケジューリングダウンリンク制御情報を含む。
【０１６８】
なお、本実施例における上記ネットワーク側機器１１００は、本開示の一部実施例の方法実施例における任意の実施形態のネットワーク側機器であってもよい。本開示の一部実施例の方法実施例におけるネットワーク側機器の任意の実施形態は、すべて本実施例における上記ネットワーク側機器１１００によって実現可能であり、同一の効果を奏することもできるが、ここでは繰り返して記載しない。
【０１６９】
図１３を参照する。図１３は、本開示の一部実施例における端末の構造図である。図１３に示すように、当該端末は、プロセッサ１３００と、トランシーバ１３１０と、メモリ１３２０と、ユーザインタフェース１３３０と、バスインタフェースを含む。ここで、プロセッサ１３００は、メモリ１３２０からプログラムを読み取って、ネットワーク側機器から指示されるダウンリンク制御チャネル検出受信用の第１検出時間パラメータを特定するプロセスと、前記第１検出時間パラメータにしたがって、対応するダウンリンク制御チャネル時間領域リソースを選択してダウンリンク制御チャネル検出受信を行うプロセスとを実行する。
【０１７０】
ここで、トランシーバ１３１０は、プロセッサ１３００による制御でデータを送受信する。
【０１７１】
図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ１３１０は、複数の部品であってもよく、即ち送信機と受信機を含み、伝送媒体で他の各種類の装置と通信するユニットとして提供される。ユーザ端末によっては、ユーザインタフェース１３３０は、内部接続や外部接続する機器のインタフェースであってもよい。接続する機器は、キーパッド、ディスプレイ、スピーカ、マイクロフォン、ジョイスティックなどを含むが、それらに限られない。
【０１７２】
プロセッサ１３００は、バスアーキテクチャと通常の処理を管理する。メモリ１３２０は、プロセッサ１３００による作業時に使用されるデータを記憶できる。
【０１７３】
選択可能に、前記第１検出時間パラメータは、ダウンリンク制御チャネルの検出受信頻度を指示する。
【０１７４】
前記第１検出時間パラメータにしたがって、対応するダウンリンク制御チャネル時間領域リソースを選択してダウンリンク制御チャネル検出受信を行うことは、前記第１検出時間パラメータで指示される検出受信頻度にしたがって、対応するダウンリンク制御チャネル時間領域リソースでダウンリンク制御チャネル検出受信を行うことを含む。
【０１７５】
選択可能に、前記第１検出時間パラメータは、所定のＮ（所定の検出受信頻度の数）個の検出受信頻度のうちの１つの検出受信頻度をｌｏｇ２（Ｎ）個のビットで指示する。または、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示する。前記１ビットが第２値である場合、前記第１検出時間パラメータは、各ダウンリンク制御チャネルシンボルで１回の検出受信を行うと指示する。
【０１７６】
選択可能に、前記第１検出時間パラメータは、ダウンリンク制御チャネル検出受信が行われる目標時間領域リソースを、ビットマップ方式で前記端末に指示する。前記第１検出時間パラメータにしたがって、対応するダウンリンク制御チャネル時間領域リソースを選択してダウンリンク制御チャネル検出受信を行うことは、前記第１検出時間パラメータで指示される目標時間領域リソースを選択し、前記目標時間領域リソースでダウンリンク制御チャネル検出受信を行うことを含む。
【０１７７】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。前記第１検出時間パラメータにしたがって、対応するダウンリンク制御チャネル時間領域リソースを選択してダウンリンク制御チャネル検出受信を行うことは、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行うことを含む。ここで、各ダウンリンク制御チャネル時間領域リソースセットは、ダウンリンク制御チャネル検出受信に用いられる可能性のある時間領域リソースを少なくとも１つ含む。
【０１７８】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【０１７９】
選択可能に、前記端末が、ネットワーク側機器から指示されるダウンリンク制御チャネル検出受信用の第１検出時間パラメータを特定することは、ネットワーク側機器から送信されるダウンリンク制御チャネル検出受信用の第１検出時間パラメータをトランシーバ１３１０で受信すること、または、ネットワーク側機器との間で予め協議したダウンリンク制御チャネル検出受信用の第１検出時間パラメータを特定することを含む。
【０１８０】
選択可能に、前記ネットワーク側機器から送信されるダウンリンク制御チャネル検出受信用の第１検出時間パラメータをトランシーバ１３１０で受信することは、ダウンリンク制御チャネル検出受信用の第１検出時間パラメータが含まれるハイレイヤシグナリングをネットワーク側機器からトランシーバ１３１０で受信すること、または、前記端末が、ダウンリンク制御チャネル検出受信用の第１検出時間パラメータが含まれるブロードキャストシグナリングまたはマルチキャストシグナリングをネットワーク側機器からトランシーバ１３１０で受信することを含む。
【０１８１】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【０１８２】
選択可能に、プロセッサ１３００は、さらに、前記ネットワーク側機器から送信される検出時間パラメータ調整メッセージをトランシーバ１３１０で受信し、ダウンリンク制御チャネル時間領域リソースで、検出時間パラメータ調整メッセージに対応する検出時間パラメータにしたがって、対応する時間領域リソースを選択してダウンリンク制御チャネル検出受信を行う。
【０１８３】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【０１８４】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。または、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。または、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０１８５】
選択可能に、前記検出時間パラメータ調整メッセージは、ブロードキャストシグナリング、マルチキャストシグナリングまたはスケジューリングダウンリンク制御情報を含む。
【０１８６】
なお、本実施例における上記端末は、図１〜図８に示す実施例における端末であってもよい。図１〜図８に示す実施例における端末の任意の実施形態は、すべて本実施例における上記端末によって実現可能であり、同一の効果を奏することもできるが、ここでは繰り返して記載しない。
【０１８７】
図１４を参照する。図１４は、本開示の一部実施例におけるネットワーク側機器の構造図である。図１４に示すように、当該ネットワーク側機器は、プロセッサ１４００と、トランシーバ１４１０と、メモリ１４２０と、ユーザインタフェース１４３０と、バスインタフェースを含む。ここで、プロセッサ１４００は、メモリ１４２０からプログラムを読み取って、ダウンリンク制御チャネル検出受信用の第１検出時間パラメータを端末に指示するプロセスを実行する。前記第１検出時間パラメータは、前記端末に、前記第１検出時間パラメータにしたがって、対応するダウンリンク制御チャネル時間領域リソースを選択してダウンリンク制御チャネル検出受信を行わせる。
【０１８８】
ここで、トランシーバ１４１０は、プロセッサ１４００による制御でデータを送受信する。
【０１８９】
図１４において、バスアーキテクチャは、任意数の相互接続するバスとブリッジを含み、具体的に、プロセッサ１４００をはじめとする１つ又は複数のプロセッサとメモリ１４２０をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ１４１０は、複数の部品であってもよく、即ち送信機と受信機を含み、伝送媒体で他の各種類の装置と通信するユニットとして提供される。ユーザ端末によっては、ユーザインタフェース１４３０は、内部接続や外部接続する機器のインタフェースであってもよい。接続する機器は、キーパッド、ディスプレイ、スピーカ、マイクロフォン、ジョイスティックなどを含むが、それらに限られない。
【０１９０】
プロセッサ１４００は、バスアーキテクチャと通常の処理を管理する。メモリ１４２０は、プロセッサ１４００による作業時に使用されるデータを記憶できる。
【０１９１】
選択可能に、前記第１検出時間パラメータは、ダウンリンク制御チャネルの検出受信頻度を指示する。
【０１９２】
選択可能に、前記第１検出時間パラメータは、所定のＮ（所定の検出受信頻度の数）個の検出受信頻度のうちの１つの検出受信頻度をｌｏｇ２（Ｎ）個のビットで指示する。または、前記第１検出時間パラメータは、前記ダウンリンク制御チャネルの検出受信頻度を１ビットで指示する。ここで、前記１ビットが第１値である場合、前記第１検出時間パラメータは、各ダウンリンク制御チャネルスロット内で１回の検出受信を行うと指示する。前記１ビットが第２値である場合、前記第１検出時間パラメータは、各ダウンリンク制御チャネルシンボルで１回の検出受信を行うと指示する。
【０１９３】
選択可能に、前記第１検出時間パラメータは、ダウンリンク制御チャネル検出受信が行われる目標時間領域リソースを、ビットマップ方式で前記端末に指示する。
【０１９４】
選択可能に、前記第１検出時間パラメータは、ダウンリンク制御チャネル検出受信が行われる目標時間領域リソースセットを前記端末に指示し、前記目標時間領域リソースセットは、少なくとも１つの時間領域リソースを含む。
【０１９５】
選択可能に、前記第１検出時間パラメータは、前記ネットワーク側機器から明示的に指示される検出時間パラメータであり、または、前記端末と前記ネットワーク側機器の間で予め協議して特定される検出時間パラメータである。
【０１９６】
選択可能に、前記ダウンリンク制御チャネル検出受信用の第１検出時間パラメータを端末に指示することは、ダウンリンク制御チャネル検出受信用の第１検出時間パラメータを前記端末にトランシーバ１４１０で送信すること、または、ダウンリンク制御チャネル検出受信用の第１検出時間パラメータを前記端末にトランシーバ１４１０で暗黙的に指示することを含む。
【０１９７】
選択可能に、前記ダウンリンク制御チャネル検出受信用の第１検出時間パラメータを前記端末にトランシーバ１４１０で指示することは、ダウンリンク制御チャネル検出受信用の第１検出時間パラメータが含まれるハイレイヤシグナリングを前記端末にトランシーバ１４１０で送信すること、または、ダウンリンク制御チャネル検出受信用の第１検出時間パラメータが含まれるブロードキャストシグナリングまたはマルチキャストシグナリングを前記端末にトランシーバ１４１０で送信することを含む。
【０１９８】
選択可能に、前記第１検出時間パラメータは、所定時間帯内で有効であり、および／または、前記ブロードキャストシグナリングに含まれる第１検出時間パラメータは、前記ネットワーク側機器の配下のすべての端末に有効であり、前記マルチキャストシグナリングに含まれる第１検出時間パラメータは、１つまたは複数の端末を含む端末群に有効である。
【０１９９】
選択可能に、前記プロセッサ１４００は、さらに、検出時間パラメータ調整メッセージを前記端末にトランシーバ１４１０で送信する。前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせる。
【０２００】
選択可能に、前記検出時間パラメータ調整メッセージは、第２検出時間パラメータにしたがってダウンリンク制御チャネル検出受信を行うように前記端末に指示し、または、引き続き前記第１検出時間パラメータにしたがってダウンリンク制御チャネル検出受信を行うように前記端末に指示する。
【０２０１】
選択可能に、前記検出時間パラメータ調整メッセージは、前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示する。または、前記検出時間パラメータ調整メッセージは、前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示する。または、前記検出時間パラメータ調整メッセージは、次の検出時間パラメータ調整メッセージを受信するまで、すべて前記第２検出時間パラメータにしたがってダウンリンク制御チャネル検出受信を行うように前記端末に指示する。
【０２０２】
選択可能に、前記検出時間パラメータ調整メッセージは、ブロードキャストシグナリング、マルチキャストシグナリングまたはスケジューリングダウンリンク制御情報を含む。
【０２０３】
なお、本実施例における上記ネットワーク側機器は、図１〜図８に示す実施例におけるネットワーク側機器であってもよい。図１〜図８に示す実施例のネットワーク側機器の任意の実施形態は、すべて本実施例における上記ネットワーク側機器によって実現可能であり、同一な効果を奏することもできるため、ここでは繰り返して記載しない。
【０２０４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、機器またはユニットを介した間接結合や通信接続であってもよく、電気的、機械的、または他の形式であってもよい。
【０２０５】
また、本発明の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２０６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２０７】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2020518197.tif 000003
【図２】
2020518197.tif 000004
【図３】
2020518197.tif 000005
【図４】
2020518197.tif 000006
【図５】
2020518197.tif 000007
【図６】
2020518197.tif 000008
【図７】
2020518197.tif 000009
【図８】
2020518197.tif 000010
【図９】
2020518197.tif 000011
【図１０】
2020518197.tif 000012
【図１１】
2020518197.tif 000013
【図１２】
2020518197.tif 000014
【図１３】
2020518197.tif 000015
【図１４】
2020518197.tif 000016
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
端末が、ネットワーク側機器から指示されるダウンリンク制御チャネル検出受信用の第１検出時間パラメータを特定することと、
前記端末が、前記第１検出時間パラメータにしたがって、対応するダウンリンク制御チャネル時間領域リソースを選択してダウンリンク制御チャネル検出受信を行うことと、
を含むダウンリンク制御チャネル検出受信方法。
【請求項２】
前記第１検出時間パラメータは、
ダウンリンク制御チャネルの検出受信頻度を指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される検出受信頻度にしたがって、対応するダウンリンク制御チャネル時間領域リソースでダウンリンク制御チャネル検出受信を行うことを含む請求項１に記載の方法。
【請求項３】
前記第１検出時間パラメータは、
所定のＮ（所定の検出受信頻度の数）個の検出受信頻度のうちの１つの検出受信頻度をｃｅｉｌ（ｌｏｇ２（Ｎ））個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項２に記載の方法。
【請求項４】
前記第１検出時間パラメータは、
ダウンリンク制御チャネル検出受信が行われる目標時間領域リソースを、ビットマップ方式で前記端末に指示し、
前記端末が、前記第１検出時間パラメータにしたがって、対応するダウンリンク制御チャネル時間領域リソースを選択してダウンリンク制御チャネル検出受信を行うことは、
前記端末が、前記第１検出時間パラメータで指示される目標時間領域リソースを選択し、前記目標時間領域リソースでダウンリンク制御チャネル検出受信を行うことを含み、
または、
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、ここで、
前記第１検出時間パラメータは、
前記ネットワーク側機器から明示的に指示される検出時間パラメータであり、または、
前記端末と前記ネットワーク側機器の間で予め協議して特定される検出時間パラメータであり、
前記端末が、前記第１検出時間パラメータにしたがって、対応するダウンリンク制御チャネル時間領域リソースを選択してダウンリンク制御チャネル検出受信を行うことは、
前記端末が、予め定義されている少なくとも１つのダウンリンク制御チャネル時間領域リソースセットから、前記第１検出時間パラメータで指示される前記目標時間領域リソースセットを選択し、前記目標時間領域リソースセットのうちの各時間領域リソースでダウンリンク制御チャネル検出受信を行うことを含み、
各ダウンリンク制御チャネル時間領域リソースセットは、ダウンリンク制御チャネル検出受信に用いられる可能性のある時間領域リソースを少なくとも１つ含む請求項１に記載の方法。
【請求項５】
前記端末が、ネットワーク側機器から指示されるダウンリンク制御チャネル検出受信用の第１検出時間パラメータを特定することは、
前記端末が、ネットワーク側機器から送信されるダウンリンク制御チャネル検出受信用の第１検出時間パラメータを受信すること、または、
前記端末が、ネットワーク側機器との間で予め協議したダウンリンク制御チャネル検出受信用の第１検出時間パラメータを特定することを含み、
前記端末が、ネットワーク側機器から送信されるダウンリンク制御チャネル検出受信用の第１検出時間パラメータを受信することは、
前記端末が、ダウンリンク制御チャネル検出受信用の第１検出時間パラメータが含まれるハイレイヤシグナリングをネットワーク側機器から受信すること、または、
前記端末が、ダウンリンク制御チャネル検出受信用の第１検出時間パラメータが含まれるブロードキャストシグナリングまたはマルチキャストシグナリングをネットワーク側機器から受信することを含む請求項１〜４のいずれか一項に記載の方法。
【請求項６】
前記端末が、前記ネットワーク側機器から送信される検出時間パラメータ調整メッセージを受信することと、
前記端末が、ダウンリンク制御チャネル時間領域リソースで、検出時間パラメータ調整メッセージに対応する検出時間パラメータにしたがって、対応する時間領域リソースを選択してダウンリンク制御チャネル検出受信を行うこととをさらに含み、
前記検出時間パラメータ調整メッセージは、
ブロードキャストシグナリング、マルチキャストシグナリングまたはスケジューリングダウンリンク制御情報を含む請求項１〜４のいずれか一項に記載の方法。
【請求項７】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示し、
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項６に記載の方法。
【請求項８】
ネットワーク側機器が、ダウンリンク制御チャネル検出受信用の第１検出時間パラメータを端末に指示することを含み、
前記第１検出時間パラメータは、前記端末に、前記第１検出時間パラメータにしたがって、対応するダウンリンク制御チャネル時間領域リソースを選択してダウンリンク制御チャネル検出受信を行わせるダウンリンク制御チャネル検出受信方法。
【請求項９】
前記第１検出時間パラメータは、
ダウンリンク制御チャネルの検出受信頻度を指示する請求項８に記載の方法。
【請求項１０】
前記第１検出時間パラメータは、
所定のＮ（所定の検出受信頻度の数）個の検出受信頻度のうちの１つの検出受信頻度をｃｅｉｌ（ｌｏｇ２（Ｎ））個のビットで指示し、または、
前記ダウンリンク制御チャネルの検出受信頻度を１ビットで指示し、ここで、前記１ビットが第１値である場合、各ダウンリンク制御チャネルスロット内で１回の検出受信を行うと指示し、前記１ビットが第２値である場合、各ダウンリンク制御チャネルシンボルで１回の検出受信を行うと指示する請求項９に記載の方法。
【請求項１１】
前記第１検出時間パラメータは、
ダウンリンク制御チャネル検出受信が行われる目標時間領域リソースを、ビットマップ方式で前記端末に指示し、
または、
前記第１検出時間パラメータは、
ダウンリンク制御チャネル検出受信が行われる目標時間領域リソースセットを前記端末に指示し、前記目標時間領域リソースセットは、少なくとも１つの時間領域リソースを含み、
前記ネットワーク側機器から明示的に指示される検出時間パラメータであり、または、
前記端末と前記ネットワーク側機器の間で予め協議して特定される検出時間パラメータである請求項８に記載の方法。
【請求項１２】
前記ネットワーク側機器が、ダウンリンク制御チャネル検出受信用の第１検出時間パラメータを端末に指示することは、
前記ネットワーク側機器が、ダウンリンク制御チャネル検出受信用の第１検出時間パラメータを前記端末に送信すること、または、
前記ネットワーク側機器が、ダウンリンク制御チャネル検出受信用の第１検出時間パラメータを前記端末に暗黙的に指示することを含む請求項８〜１１のいずれか一項に記載の方法。
【請求項１３】
前記ネットワーク側機器が、ダウンリンク制御チャネル検出受信用の第１検出時間パラメータを前記端末に送信することは、
前記ネットワーク側機器が、ダウンリンク制御チャネル検出受信用の第１検出時間パラメータが含まれるハイレイヤシグナリングを前記端末に送信すること、または、
前記ネットワーク側機器が、ダウンリンク制御チャネル検出受信用の第１検出時間パラメータが含まれるブロードキャストシグナリングまたはマルチキャストシグナリングを前記端末に送信することを含む請求項１２に記載の方法。
【請求項１４】
前記ネットワーク側機器が、検出時間パラメータ調整メッセージを前記端末に送信することをさらに含み、
前記検出時間パラメータ調整メッセージは、前記端末に、ダウンリンク制御チャネル時間領域リソースで、検出時間パラメータ調整メッセージに対応する検出時間パラメータにしたがって、対応する時間領域リソースを選択してダウンリンク制御チャネル検出受信を行わせ、
前記検出時間パラメータ調整メッセージは、
ブロードキャストシグナリング、マルチキャストシグナリングまたはスケジューリングダウンリンク制御情報を含む請求項８〜１１のいずれか一項に記載の方法。
【請求項１５】
前記検出時間パラメータ調整メッセージは、
第２検出時間パラメータにしたがってダウンリンク制御チャネル検出受信を行うように前記端末に指示し、または、
引き続き前記第１検出時間パラメータにしたがってダウンリンク制御チャネル検出受信を行うように前記端末に指示し、
前記検出時間パラメータ調整メッセージは、
前記検出時間パラメータ調整メッセージ受信後のＴ（１以上の整数）個のダウンリンク制御チャネル時間領域リソースで、前記第２検出時間パラメータにしたがってダウンリンク制御チャネル検出受信を行うように前記端末に指示し、または、
前記検出時間パラメータ調整メッセージ受信後のＫ（１以上の整数）個の連続する時間領域リソースで、前記第２検出時間パラメータにしたがってダウンリンク制御チャネル検出受信を行うように前記端末に指示し、または、
次の検出時間パラメータ調整メッセージを受信するまで、すべて前記第２検出時間パラメータにしたがってダウンリンク制御チャネル検出受信を行うように前記端末に指示する請求項１４に記載の方法。
【請求項１６】
ネットワーク側機器から指示されるダウンリンク制御チャネル検出受信用の第１検出時間パラメータを特定する特定モジュールと、
前記第１検出時間パラメータにしたがって、対応するダウンリンク制御チャネル時間領域リソースを選択してダウンリンク制御チャネル検出受信を行う第１検出モジュールとを含む端末。
【請求項１７】
ダウンリンク制御チャネル検出受信用の第１検出時間パラメータを端末に指示する指示モジュールを含み、
前記第１検出時間パラメータは、前記端末に、前記第１検出時間パラメータにしたがって、対応するダウンリンク制御チャネル時間領域リソースを選択してダウンリンク制御チャネル検出受信を行わせるネットワーク側機器。
【国際調査報告】
2020518197.tif 000017
2020518197.tif 000018
2020518197.tif 000019
2020518197.tif 000020